(57)【要約】【課題】装飾用表示部周辺でいろいろな表示を機能的に行うことができるだけでなく、中央のスロット表示を明るくして判別を容易にすることにより、遊技に熱中できる遊技機の表示器を提供する。【解決手段】スロット表示を用いた遊技機の前面化粧板に液晶表示器を用いるにあたって、略中央部の複数の透光部１１上を被う偏光板１４部分の偏光特性を無くした開口部１４Ｈを形成することにより、偏光板１４通過による光透過度低下を抑制して、スロット表示を見やすくする。【選択図】　　　　図１
2004105616.tif 000002
【特許請求の範囲】
【請求項１】
液晶表示セルを挟むように一対の偏光板を設けた表示器において、前記一対の偏光板の少なくとも一方の偏光板に、偏光機能を持たない開口部を前記液晶表示セルの所定領域と対応して形成したことを特徴とする表示器。
【請求項２】
液晶表示セルを挟むように一対の偏光板を設け、前記液晶表示セルの中央部に着色透明または無彩色の透光部を有し、該透光部の周囲に表示内容が可変の表示部を有した表示器において、前記一対の偏光板の少なくとも一方の偏光板に、偏光機能を持たない開口部を前記透光部と対応して形成したことを特徴とする表示器。
【請求項３】
回転表示体と、この回転表示体の前方に配置された化粧板とを備えた遊技機において、前記化粧板として、請求項１あるいは請求項２に記載された表示器を用いたことを特徴とする遊技機。
【発明の詳細な説明】
【０００１】
【発明の属する技術分野】
本発明はスロットマシンやパチンコ機というような遊技機に好適な表示器と、それを備えた遊技機に関する。
【０００２】
【従来の技術】
従来、パチンコ機やスロットマシンは、絵柄や数字等のスロット表示部を有する回転表示体の前面に、装飾印刷がなされた前面化粧板を配置するという構成の遊技機である。そして回転表示器のタイムリーな回転によって遊技を楽しむように構成されている。このような遊技機の各種情報は、前面化粧板の隅や前面化粧板近傍の遊技機本体などの特定な個所に表示され、前面化粧板の回転表示器の表示窓以外にはあでやかな印刷表示がなされているだけである。（例えば、特許文献１参照）。また遊技機において前面化粧板全体を表示器とし、表示させる内容を変化させて遊技に意外性を持たせる図柄変更型遊技機も報告されている。この遊技機用表示器は装飾用表示部のみならず略中央部の複数の透光部上にも偏光板を有する。
【０００３】
【特許文献１】
特開平１０−５２５３０号公報
【０００４】
【発明が解決しようとする課題】
遊技に意外性を持たせる方法として、透光部の周辺に絵柄や状況に応じた得点や当たり表示ができるように遊技機の前面化粧板全体に液晶表示器を用いる事を検討した。しかし、この様な遊技機用表示器は両面に偏光板を備えており、１枚の偏光板を使用すると自然光を６０％程度吸収し、透過光は４０％程度となる。更に液晶を挟んで直交ニコルとすると透過光は３０％より低下する。以上のような理由から、この液晶表示器を用いた遊技用表示器のスロット表示は、薄暗く観察されるため、冷陰極管等の線状光源や高輝度ＬＥＤまたは豆電球などからなる照明手段の明るい大きな光源を必要とし、消費電力増加や光源の発熱で液晶表示が悪くなる等、遊技に支障が出る。
【０００５】
【課題を解決するための手段】
本発明の表示器は請求項１に記載のように、液晶表示セルを挟むように一対の偏光板を設けた表示器において、前記一対の偏光板の少なくとも一方の偏光板に、偏光機能を持たない開口部を前記液晶表示セルの所定領域と対応して形成したことを特徴とする。
【０００６】
本発明の表示器は請求項２に記載のように、液晶表示セルを挟むように一対の偏光板を設け、前記液晶表示セルの中央部に着色透明または無彩色の透光部を有し、該透光部の周囲に表示内容が可変の表示部を有した表示器において、前記一対の偏光板の少なくとも一方の偏光板に、偏光機能を持たない開口部を前記透光部と対応して形成したことを特徴とする。
【０００７】
本発明の遊技機は請求項３に記載のように、回転表示体と、この回転表示体の前方に配置された化粧板とを備えた遊技機において、前記化粧板として、請求項１あるいは請求項２に記載された表示器を用いたことを特徴とする。
【０００８】
本発明によれば、スロット表示を用いた遊技機の前面化粧板に液晶表示器を用いるにあたって、略中央部の複数の透光部上を被う偏光板部分の偏光機能を無くすることにより、偏光板通過による光透過度低下を抑制して、スロット表示を見やすくする。
【０００９】
【発明の実施の形態】
図１（ａ）は本発明実施例の遊技機用表示器１の平面図、図１（ｂ）は図１（ａ）のイ−イ’の断面図である。図１において、１０は２枚の板ガラス１０Ａを張り合わせ、その間に液晶１０Ｂを充填した液晶表示セルである。遊技機用表示器１は、液晶表示セル１０と各々の板ガラス１０Ａの外側に設けられた一対の偏光板１４からなり、大きさは例えば横４２ｃｍ縦２６ｃｍ（１９インチ相当）、厚さは２ｍｍである。
【００１０】
１１は、遊技機用表示器１を構成する液晶表示セル１０の所定領域、この例では略中央部に設けられた透光部である。着色透明あるいは無彩色の透光部１１は、この部分を窓として、液晶表示セル１０の後方に別途配置される回転表示体の絵柄や数字からなるスロット表示部（例えば、「７」「７」「７」などのの数字やベル、さくらんぼなどの絵柄）を目視するためのものである。透光部１１は、後述する装飾用表示部１３と同じ構成としても良いが、セル後方の表示を透視しやすくするため、装飾用表示部１３に比べて同一条件での光透過率を高めた構成とすることが好ましい。光透過率を高めるために、透光部１１は、カラーフィルター、スイッチング用の素子、画素電極などを選択的に欠如させることが好ましい。透光部１１は、液晶表示器１の数分の１サイズのもの、例えば大きさが横８ｃｍ縦１３ｃｍ（６インチ相当）のものが複数、この例では３ヵ所並べて設けられている。
【００１１】
透光部１１の周囲には遮光部１２を設けると透光部１１が際立ち、遊技に集中しやすく好ましい。遮光部１２を設ける場合には、単に透光部１１の縁取りをするような形で反射材やカラーフィルターのブラックマトリクスを配置しても良いし、複数ある透光部１１の間隔をすべて覆うような形で、遮光部１２を液晶表示器裏面にめがね状に設けても良い。
【００１２】
図１（ａ）の斜線部を施したロ字状の部分である１３は、遊技機用表示器１内の液晶表示セル１０の透光部１１周辺に設けられた装飾用表示部で、カラードットマトリクス液晶表示器を用いることにより、固定パターンの点灯・消灯のみならず、グラフィック表示データで表示内容を可変することにより待機時の緩やかなデモンストレーション表示から遊技時の特定情報を含んだ表示や遊技終了時のゲーム成果のような表示をすることを可能とし、遊技者の気持ちを高揚させることができる。
【００１３】
液晶表示セル１０の上下には一対の偏光板１４を有しており、その偏光板形状は図１（ａ）のように、中央をくりぬき、その周囲に斜線部を施したロ字状に偏光機能を持たせた領域を有したものとしている。したがって、上下の偏光板１４，１４の同一位置に、偏光機能を持たない大きな開口部１４Ｈを透光部１１に対応させて各々一つずつ設けた構成となっている。偏光板表面は、表示面全体を保護シートで被うことにより手触り感を良くしておく。保護シートはオーバーコート材などで形成しても良い。
【００１４】
この開口部１４Ｈを設ける事により、偏光特性が無くなり、透光部１１を通過する透過光のほとんど全てを利用できるようになるため、中央のスロット表示が見やすくなる。このことにより冷陰極管等の線状光源や高輝度ＬＥＤまたは豆電球などからなる照明手段の明るい大きな光源を必要とせず、消費電力増加や光源の発熱で液晶表示が悪くなるなどの影響を受けなくなる。
【００１５】
上記の実施形態では、偏光板１４の開口部１４Ｈを、複数の透光部１１に共通の１つだけとする場合を例示したが、図２に示すように、開口部１６Ｈを、複数の透光部１５に各々対応させて複数個形成しても良い。すなわち、　偏光板１６をくりぬく別の方法として、透光部１５の間の部分にも偏光板１６を図２のようにめがね状に配置しても良い（図２の断面図は省略する）。この場合、透光部１５の周りに遮光部１７がそれぞれ存在することにより、透光部のスロット表示が一層際立つという効果を持つ。
【００１６】
偏光板に開口部を設けると段差が生じるため、段差の無い構造で透光部に偏光特性を無くする例として、たとえば偏光板をくりぬいた個所に同じような厚みの透明樹脂シートをはめ込むものがある。
【００１７】
または、くりぬくべき個所の透明樹脂板に偏光シートを２色成型する等により段差が無く部分的に偏光特性も無い偏光板が形成される。
【００１８】
尚、上記実施形態では、一対の偏光板の両方に開口部を設けたが、表側、あるいは裏側のいずれか一方の偏光板のみに開口部を設けても良い。
【００１９】
このように構成された表示器１は、スロットマシン等の遊技機の化粧板として利用される。スロットマシンの化粧板として利用する際は、スロットマシンの回転表示体の前方に、開口部を通して回転表示体が見えるように、この表示器を配置し、この表示器をスロットマシンの前面部を構成するように固定する。
【００２０】
【発明の効果】
以上のように本発明によれば、スロットマシン、パチンコなどの遊技機において装飾用表示部周辺でいろいろな表示を機能的に行うことができるだけでなく、中央のスロット表示が明るいため、判別が容易であり、遊技に熱中できる。
【図面の簡単な説明】
【図１】本発明実施例の表示器の平面図ａとその断面図ｂである。
【図２】本発明実施例の表示器１の別の形態を示す平面図である。
【符号の説明】
１　　　　　　　遊技機用表示器
１０　　　　　液晶表示セル
１０Ａ　　　　板ガラス
１０Ｂ　　　　液晶
１１　　　　　　透光部
１２　　　　　　遮光部
１３　　　　　　装飾用表示部
１４　　　　　　偏光板
１４Ｈ　　　　開口部
１５　　　　　　透光部
１６　　　　　　偏光板
１６Ｈ　　　　開口部
１７　　　　　　遮光部
【図１】
2004105616.tif 000003
【図２】
2004105616.tif 000004